(57)【要約】【課題】  エアリード楽器において、思い通りに音色を変えることを可能にする技術を提供する。【解決手段】  エアリード楽器１は、リッププレート２６にウインドウェイ形成部３０を設けて改良したフルートである。ウインドウェイ形成部３０は、一方の開口端３５がエッジ２４に対向する貫通穴３３を有する下流部３１と、下流部３１の他方の開口端３６に連結されて貫通穴３３につながる貫通穴３４を有する上流部３２とを含んでいる。貫通穴３３および３４は、開口端３８から流入する呼気を開口端３５から流出してエッジに供給するウインドウェイ４０の役割を果たす。上流部３２における下流部３１との連結部３９は、柔軟性を有する素材によって構成されている。【選択図】図１
2017068109.tif 000002
【特許請求の範囲】
【請求項１】
一方の開口端に流入する呼気を他方の開口端から流出してエッジに供給するウインドウェイが形成されたウインドウェイ形成部を有し、
前記ウインドウェイを曲げることが可能な構成としたことを特徴とするエアリード楽器。
【請求項２】
前記ウインドウェイ形成部の少なくとも一部を柔軟性を有する素材によって構成したことを特徴とする請求項１に記載のエアリード楽器。
【請求項３】
前記ウインドウェイ形成部を弾性率の異なる複数の素材によって構成したことを特徴とする請求項１または２に記載のエアリード楽器。
【請求項４】
前記ウインドウェイ形成部は、
各々が貫通孔を有する複数の貫通孔形成部を含み、
前記複数の貫通孔形成部が連結され、各々の貫通孔が連通して前記ウインドウェイを形成する
ことを特徴とする請求項１または２に記載のエアリード楽器。
【請求項５】
エアリード楽器の唄口に装着されるアタッチメントであって、
一方の開口端に流入する呼気を他方の開口端から流出してエッジに供給するウインドウェイが形成されたウインドウェイ形成部を有し、
前記ウインドウェイを曲げることが可能な構成としたことを特徴とするエアリード楽器用アタッチメント。
【発明の詳細な説明】
【技術分野】
【０００１】
この発明は、エアリード楽器およびエアリード楽器に装着されるエアリード楽器用アタッチメントに関する。
【背景技術】
【０００２】
エアリード楽器の例として、フルートおよびリコーダが挙げられる。フルートの演奏者は、リッププレートに下唇を押し当てて特定のアンブシュア（唇の形）を作って、唄口のエッジに呼気を吹き付けるようにして演奏する。フルートの演奏者は、このアンブシュアを調節することで音色を変えることができる。
【０００３】
しかし、アンブシュアを作ることや調節することは、演奏者のスキルに大きく依存する。このため、初心者などの演奏スキルの乏しい演奏者がフルートを演奏することは困難である。
【０００４】
これに対して、リコーダには、一方の開口端に流入する呼気を他方の開口端から流出してエッジに供給するウインドウェイが形成されている。一方の開口端から呼気を吹き込むだけで吹き込まれた呼気がエッジに導かれるため、リコーダの演奏者は、容易に演奏を行うことができる。
【先行技術文献】
【特許文献】
【０００５】
【特許文献１】米国特許出願公開第２０１４／００１３９２５号明細書
【発明の概要】
【発明が解決しようとする課題】
【０００６】
しかし、リコーダでは、ウインドウェイがあることによって容易に音が出る反面、安定した呼気がエッジに吹き付けられるため、演奏者が思い通りに音色を変えることは困難である。
【０００７】
また、フルートの演奏者の中には、特定のアンブシュアを作ることはできるがアンブシュアを調節することができない、というような者もいる。このような演奏者は、思い通りに音色を変えることが困難である。
【０００８】
この発明は以上のような事情に鑑みてなされたものであり、エアリード楽器において、思い通りに音色を変えることを可能にする技術を提供することを目的とする。
【課題を解決するための手段】
【０００９】
この発明は、一方の開口端に流入する呼気を他方の開口端から流出してエッジに供給するウインドウェイが形成されたウインドウェイ形成部を有し、ウインドウェイを曲げることが可能な構成としたことを特徴とするエアリード楽器を提供する。
【００１０】
この発明のエアリード楽器によれば、演奏者がウインドウェイを曲げてウインドウェイに呼気を吹き込むと、エッジに当たる空気の状態が変わり、当該エアリード楽器の発する音の音色が変わる。従って、このエアリード楽器を用いれば、演奏者は、思い通りに音色を変えることができる。
【００１１】
好ましい態様において、ウインドウェイ形成部の少なくとも一部を柔軟性を有する素材によって構成したことを特徴とする。この態様によれば、ウインドウェイを容易に曲げることができる。
【００１２】
また、この発明は、エアリード楽器の唄口に装着されるアタッチメントであって、一方の開口端に流入する呼気を他方の開口端から流出してエッジに供給するウインドウェイが形成されたウインドウェイ形成部を有し、ウインドウェイを曲げることが可能な構成としたことを特徴とするエアリード楽器用アタッチメントを提供する。本エアリード楽器用アタッチメントをエアリード楽器に装着すれば、演奏者は、思い通りに音色を変えることができる。
【００１３】
特許文献１には、フルートのリッププレートに関する技術が開示されている。特許文献１のリッププレート１００には、エアガイド１３０が設けられている。そして、このエアガイド１３０に呼気を吹き込むことでフルートを容易に演奏することができるようになっている。これに対して、本発明のエアリード楽器は、ウインドウェイを曲げることが可能な構成となっている。従って、本発明のエアリード楽器は、特許文献１の技術とはまったく異なるものである。
【図面の簡単な説明】
【００１４】
【図１】この発明の第１実施形態であるエアリード楽器１の唄口２２を管軸に垂直な面で切断したときの断面の一部を示す断面図である。
【図２】同エアリード楽器１のウインドウェイ形成部３０の屈曲度合いを変えてウインドウェイ４０をまっすぐな状態にしたときのエアリード楽器１の唄口２２の断面の一部を示す断面図である。
【図３】同エアリード楽器１のウインドウェイ４０がまっすぐな状態の当該ウインドウェイ４０に呼気を吹き込んだときのエアリード楽器１から放音される音の周波数特性を示す図である。
【図４】同エアリード楽器１のウインドウェイ４０が曲がっている状態の当該ウインドウェイ４０に呼気を吹き込んだときのエアリード楽器１から放音される音の周波数特性を示す図である。
【図５】この発明の第２実施形態であるエアリード楽器１Ｃの頭部管１０の構成を示す縦断面図である。
【図６】同エアリード楽器１Ｃのウインドウェイ形成部１２を変形させた例を示す縦断面図である。
【発明を実施するための形態】
【００１５】
以下、図面を参照し、この発明の実施形態について説明する。
＜第１実施形態＞
この発明の第１実施形態によるエアリード楽器１は、リッププレート２６にウインドウェイ形成部３０を設けて改良したフルートである。図１は、本実施形態のエアリード楽器１の唄口２２を管軸に垂直な面で切断したときの断面の一部を示す断面図である。
【００１６】
リッププレート２６は、エアリード楽器１の頭部管（すなわちエアリード楽器１本体）に固定されている（図示略）。リッププレート２６の中央には唄口２２がある。唄口２２の周囲の一部は、エッジ２４となっている。
【００１７】
ウインドウェイ形成部３０は、下流部３１と上流部３２とから構成されている。下流部３１および上流部３２の各々は、ブロック状となっている。下流部３１には、当該下流部３１を貫通する貫通孔３３が設けられている。すなわち、下流部３１は、貫通孔３３を有する貫通孔形成部である。下流部３１は、一方の開口端３５が唄口２２のエッジ２４に対向するようにリッププレート２６に固定されている。
【００１８】
上流部３２には、当該上流部３２を貫通する貫通孔３４が設けられている。すなわち、上流部３２も、下流部３１と同様に、貫通孔３４を有する貫通孔形成部である。上流部３２の一方の開口端３７の中央部分は窪んでいる。この窪んでいる部分には、下流部３１が当該下流部３１の他方の開口端３６側から挿入される。上流部３２は、この窪んでいる部分において、上流部３２と下流部３１の位置関係が保たれる程度の摩擦力をもって下流部３１に連結される。以下、上流部３２における下流部３１に連結される部分を連結部３９と呼ぶ。
【００１９】
上流部３２が下流部３１に連結された状態では、上流部３２の貫通孔３４が下流部３１の貫通孔３４につながる。すなわち、貫通孔３３および３４は、上流部３２の他方の開口端３８に流入する呼気を開口端３５から流出してエッジ２４に供給する呼気流路であるウインドウェイ４０の役割を果たす。このように、ウインドウェイ形成部３０は、各々が貫通孔を有する複数の貫通孔形成部（本実施形態では下流部３１および上流部３２）を含み、ウインドウェイ形成部３０では、それら複数の貫通孔形成部が連結されることで各々の貫通孔（本実施形態では貫通孔３３および３４）が連通してウインドウェイ４０が形成される。そして、図１に例示するように、下流部３１と上流部３２とは、連結部３９においてウインドウェイ４０が屈曲するように連結されている。ウインドウェイ４０が屈曲した状態では、開口端３８に流入する呼気の流入方向に対する開口端３５から流出する呼気の流出方向が異なっている。
【００２０】
連結部３９は、柔軟性を有する素材（より具体的には、ゴムなどの弾性体）によって構成されている。一方、上流部３２における連結部３９以外の部分および下流部３１は、容易に変形しない素材（例えば、合成樹脂や木材）で構成されている。このため、ウインドウェイ形成部３０は、下流部３１と上流部３２の相対的な姿勢を外力に応じて変えることができる。すなわち、ウインドウェイ形成部３０は、ウインドウェイ４０の屈曲度合いを変えることができるようになっている。このように、エアリード楽器１は、上流部３２における連結部３９以外の部分および下流部３１が変形せず、貫通孔３３のリッププレート２６に対する角度も固定されており、下流部３１に対する上流部３２の曲げ角度のみが変化可能になっている。
【００２１】
エアリード楽器１の演奏者は、下流部３１が固定されているエアリード楽器１本体を指で支え、上流部３２の開口端３８側を口でくわえてエアリード楽器１を演奏する。演奏者は、指で支えているエアリード楽器１本体の姿勢を固定し、上流部３２の開口端３８側をくわえている口の位置を上下に動かすことでウインドウェイ４０の曲がり具合を変えることができる。また、演奏者は、上流部３２の開口端３８側をくわえている口の位置を固定し、指で支えているエアリード楽器１本体の位置を上下に動かすことでウインドウェイ４０の曲がり具合を変えることができる。
【００２２】
図２は、ウインドウェイ形成部３０の屈曲度合いを変えてウインドウェイ４０をまっすぐな状態にしたときのエアリード楽器１の唄口２２の断面の一部を示す断面図である。ウインドウェイ４０がまっすぐな状態では、ウインドウェイ４０を流れる空気の流れの乱れは小さく、開口端３５から流出してエッジ２４に当たる空気の流れの乱れも小さい。このため、唄口２２における空気は周期的に振動する。
【００２３】
図３は、ウインドウェイ４０がまっすぐな状態（図２の状態）の当該ウインドウェイ４０に呼気を吹き込んだときのエアリード楽器１から放音される音の周波数特性を示す図である。図３に示す周波数特性では、基音の整数倍の周波数において音圧レベルのピークが発生しているが、そのピークが、低い整数倍から高い整数倍の周波数に亙って広域に発生している。すなわち、ウインドウェイ４０がまっすぐな状態のときのエアリード楽器１は、基音の整数倍の倍音成分を多く含んだ豊かな音を発する。
【００２４】
これに対して、図１のように、ウインドウェイ４０が曲げられた状態では、そのウインドウェイ４０の曲げられた部分において空気の流れが乱れる。この状態では、ウインドウェイ４０がまっすぐな状態に比べてウインドウェイ４０を流れる空気の流れの乱れが大きくなるため、開口端３５から流出してエッジ２４に当たる空気の流れの乱れも大きくなる。このため、ウインドウェイ４０が曲げられるほど、唄口２２において空気が周期的に振動し難くなる。
【００２５】
図４は、ウインドウェイ４０が曲がっている状態（図１の状態）の当該ウインドウェイ４０に呼気を吹き込んだときのエアリード楽器１から放音される音の周波数特性を示す図である。図４に示す周波数特性では、基音の整数倍の周波数における音圧レベルのピークの大きさが、図３に示す周波数特性に比べて小さくなっており、当該ピークは、特に高い周波数において目立たなくなっている。すなわち、ウインドウェイ４０が曲がっている状態のエアリード楽器１は、ウインドウェイ４０がまっすぐな状態に比べ、基音の整数倍の周波数成分が少ない純音的な音を発する。そして、エアリード楽器１は、ウインドウェイ４０の屈曲度合いが大きいほど、より純音的な音を発する。
【００２６】
以上のように、本実施形態のエアリード楽器１では、リッププレート２６にウインドウェイ形成部３０を設けて呼気をエッジ２４に導くようにしたため、容易に演奏することができる。また、エアリード楽器１では、ウインドウェイ形成部３０の上流部３２の連結部３９が柔軟性を有する素材によって構成されているため、ウインドウェイ４０を容易に曲げることができる。演奏者がウインドウェイを曲げてウインドウェイに呼気を吹き込むと、エッジに当たる空気の状態が変わり、当該エアリード楽器１の発する音の音色が変わる。従って、このエアリード楽器１を用いれば、演奏者は、思い通りに音色を変えることができる。さらに、エアリード楽器１では、演奏途中において音色を変えることができる。このようにエアリード楽器１を用いれば、演奏者は、表現が豊かな演奏を簡単に行うことができる。
【００２７】
＜第２実施形態＞
第１実施形態のエアリード楽器１は、フルートを改良したものであった。これに対して、この発明の第２実施形態によるエアリード楽器１Ｃは、リコーダを改良したものである。図５は、本実施形態のエアリード楽器１Ｃの頭部管１０の構成を示す縦断面図である。エアリード楽器１Ｃは、頭部管１０、中部管（図示略）および足部管（図示略）から構成されているが、中部管および足部管は、従来のリコーダのそれらと同じであるため図示および説明を省略する。
【００２８】
エアリード楽器１Ｃの頭部管１０は、胴部１１とウインドウェイ形成部１２とに区分することができる。胴部１１は、中空の略円筒形状をなしている。胴部１１の一端は開口しており、この開口端１９には胴部管が接続される。胴部１１の他端は、ウインドウェイ形成部１２に連続している。具体的には、胴部１１とウインドウェイ形成部１２とは、接着剤等で接合されている。ウインドウェイ形成部１２に連続する胴部１１の管壁の一部には、管壁を貫通する窓部１３が設けられている。この窓部１３付近の管壁は、開口端１９側から窓部１３に向かってその肉厚が徐々に薄くなってエッジ１４となっている。
【００２９】
ウインドウェイ形成部１２は、ブロック状の部材である。ウインドウェイ形成部１２には、頭部管１０の長手方向に貫通して窓部１３において開口するウインドウェイ１５が形成されている。ウインドウェイ１５の窓部１３側の開口端１６は、エッジ１４に対向している。ウインドウェイ１５の窓部１３に対して反対側の開口端１７は、呼気が導入される唄口である。すなわち、ウインドウェイ１５は、開口端１７に流入する呼気を開口端１６から流出してエッジ１４に供給する。また、頭部管１０の長手方向に垂直な方向のウインドウェイ形成部１２の太さは、唄口である開口端１７に進むにしたがって細くなっている。
【００３０】
胴部１１は、容易に変形しない素材（例えば、合成樹脂や木材）で構成されている。これに対して、エアリード楽器１Ｃのウインドウェイ形成部１２は、柔軟性を有する素材（より具体的には、ゴムなどの弾性体）によって構成されている。これにより、ウインドウェイ形成部１２は、外力が与えられると容易に変形（弾性変形）する。
【００３１】
図６は、エアリード楽器１Ｃのウインドウェイ形成部１２を変形させた例を示す縦断面図である。図６は、開口端１６に比べ開口端１７が頭部管１０の中心軸から遠ざかるようにウインドウェイ形成部１２を曲げた状態を示している。図６に示すように、ウインドウェイ形成部１２が曲げられると、その曲げられる度合いに応じてウインドウェイ１５も曲げられる。例えば、ウインドウェイ形成部１２の開口端１７付近を口でくわえて支え、エアリード楽器１Ｃの中部管や足部管を上下に動かすと、ウインドウェイ形成部１２が曲がってウインドウェイ１５が曲がる。このとき、ウインドウェイ形成部１２は、胴部１１との接合部付近を支点として曲げられるため、開口端１６は、エッジ１４に対向した状態を維持する。
【００３２】
以上のように、エアリード楽器１Ｃは、ウインドウェイ形成部１２を変形してウインドウェイ１５を曲げることが可能な構成となっている。従って、本実施形態においても、第１実施形態と同様の効果が得られる。
【００３３】
また、エアリード楽器１Ｃでは、ウインドウェイ形成部１２が弾性体によって構成されているため、ウインドウェイ形成部１２に与えていた外力を開放すると、ウインドウェイ形成部１２は元の形状に復元される。ウインドウェイ形成部１２が元の形状に復元されると、ウインドウェイ１５は、まっすぐな状態に戻る。従って、エアリード楽器１Ｃでは、発する音の音色を従来のリコーダと同様の音色に容易に戻すことができる。
【００３４】
＜第３実施形態＞
この発明の第３実施形態によるエアリード楽器の形状は、第２実施形態のエアリード楽器１Ｃと同じである。このため、第２実施形態と同じ符号を用い、図５を参照して、本実施形態のエアリード楽器を説明する。
【００３５】
本実施形態のエアリード楽器は、ウインドウェイ形成部１２を胴部１１に比べて柔軟な（弾性率の低い）素材によって構成した点において第２実施形態のエアリード楽器１Ｃと同様である。しかし、本実施形態のエアリード楽器は、ウインドウェイ形成部１２を弾性率の異なる２種類の素材によって構成した点において第２実施形態のエアリード楽器１Ｃと異なる。より詳細には、本実施形態のウインドウェイ形成部１２は、ウインドウェイ１５の長手に沿った平面を境界に上下に区分される。そして、区分されたうちの上側部分（図５におけるウインドウェイ１５よりも上側に示されたウインドウェイ形成部１２）は、区分されたうちの下側部分（図５におけるウインドウェイ１５よりも下側に示されたウインドウェイ形成部１２）に比べ弾性率が低い素材によって構成されている。このため、本実施形態のウインドウェイ形成部１２では、その上側部分の変形量が下側部分の変形量に比べて大きい。
【００３６】
本実施形態においても、第２実施形態と同様に、ウインドウェイ１５を曲げることができる。従って、本実施形態においても、第２実施形態と同様の効果が得られる。
【００３７】
また、本実施形態のエアリード楽器では、ウインドウェイ形成部１２の変形量がその上側部分と下側部分で異なるため、ウインドウェイ形成部１２の変形方向、すなわちウインドウェイ１５の曲げられる方向が概ね特定される。具体的には、ウインドウェイ形成部１２は、弾性率の低い素材側に向かって（下側部分から上側部分に向かう方向に）曲げられ易くなる。従って、本実施形態のエアリード楽器では、演奏者に与える操作感を第２実施形態のエアリード楽器１Ｃから変えることができる。
【００３８】
本実施形態のエアリード楽器では、ウインドウェイ１５の長手に沿った平面を境界に上下にウインドウェイ形成部１２の弾性率を変えていた。しかし、この位置でウインドウェイ形成部１２の弾性率を変える態様に限らない。ウインドウェイ形成部１２が弾性率の異なる２種類の素材によって構成されていれば、ウインドウェイ１５の曲げられる方向が概ね決まるからである。また、本実施形態のエアリード楽器ではウインドウェイ形成部１２を弾性率の異なる２種類の素材によって構成していたが、ウインドウェイ形成部１２を弾性率の異なる３種類以上の素材によって構成しても良い。
【００３９】
＜他の実施形態＞
以上、この発明の第１〜第３実施形態について説明したが、この発明には他にも実施形態が考えられる。例えば次の通りである。
【００４０】
（１）第１実施形態のエアリード楽器１では、下流部３１と上流部３２とを連結してウインドウェイ形成部３０を構成していた。しかし、２つの貫通孔形成部を連結してウインドウェイ形成部を構成する態様に限らず、３個以上の貫通孔形成部を連結してウインドウェイ形成部を構成しても良い。この場合も、例えば第１実施形態と同様に各連結部を柔軟な素材で構成するなどして、各連結部においてウインドウェイの屈曲具合を変えることができるようにするのが好ましい。
【００４１】
（２）第１実施形態のエアリード楽器１の連結部３９は、柔軟な素材で構成されていた。
しかし、連結部３９の具体的な構成は、これに限らず、ウインドウェイ４０の屈曲度合いを変えることができる構成であれば良い。例えば、下流部３１と上流部３２とを、蛇腹状の部材で連結しても良いし、ラチェット機構によって連結しても良い。
【００４２】
（３）第１実施形態のエアリード楽器１では、下流部３１と上流部３２とを連結していたが、連結部３９において下流部３１に対して上流部３２を着脱可能にしても良い。また、この場合、下流部に対して呼気の流入方向が異なる複数の上流部から選択された１の上流部を当該下流部に着脱可能にしても良い。このような構成によれば、連結部３９を可動な構成にすることなくウインドウェイの屈曲度合いを変えることができる。
【００４３】
（４）第１実施形態のエアリード楽器１では、下流部３１がリッププレート２６に固定されていた。しかし、リッププレート２６に対して下流部３１（すなわち、ウインドウェイ形成部３０）を着脱可能な構成としても良い。例えば、下流部３１に突起部を設け、リッププレート２６に溝部を設け、突起部を溝部に収容することで下流部３１をリッププレート２６に取り付ける、という具合である。この場合、屈曲度合いが異なる（具体的には、下流部３１と上流部３２との連結角度が異なる）複数のウインドウェイ形成部３０から選択された１のウインドウェイ形成部３０をリッププレート２６に取り付けるようにしても良い。
【００４４】
（５）第１実施形態のエアリード楽器１では、リッププレート２６がエアリード楽器１本体（より正確には頭部管）に固定されて、リッププレート２６がエアリード楽器１本体と一体となっていた。しかし、エアリード楽器本体に対してリッププレートを着脱可能な構成としても良い。そして、エアリード楽器（例えばフルート）の唄口に装着するアタッチメント（例えばリッププレートタイプのアタッチメント）として提供しても良い。そのエアリード楽器用アタッチメントは、ウインドウェイが形成されたウインドウェイ形成部が設けられており、ウインドウェイを曲げることが可能な構成となっている、という具合である。このエアリード楽器用アタッチメントでは、ウインドウェイ形成部を複数の部材（例えば、下流部および上流部）で構成しても良いし、ウインドウェイ形成部を柔軟な素材により構成しても良い。また、呼気の流入方向に対する呼気の流出方向が異なる（すなわち、ウインドウェイの曲がり具合が異なる）複数のエアリード楽器用アタッチメントから選択された１のエアリード楽器用アタッチメントを唄口に装着するようにしても良い。
【００４５】
（６）第１実施形態のエアリード楽器１では、ウインドウェイ形成部３０に外力を与えていない状態でウインドウェイ４０が屈曲していた。しかし、第１実施形態のエアリード楽器１も第２実施形態のエアリード楽器１Ｃと同様に、ウインドウェイ形成部３０に外力を与えていない状態でウインドウェイ４０がまっすぐとなり、ウインドウェイ形成部３０に外力が与えられるとウインドウェイ４０が曲がるように下流部３１と上流部３２とが連結されていても良い。
【００４６】
（７）第１実施形態のエアリード楽器１では、ウインドウェイ形成部３０における一部（具体的には連結部３９）が柔軟性を有する素材によって構成されていた。一方、第２実施形態のエアリード楽器１Ｃでは、ウインドウェイ形成部１２の全体が柔軟性を有する素材によって構成されていた。第２実施形態のエアリード楽器１Ｃにおいても第１実施形態と同様に、ウインドウェイ形成部１２における一部（より正確には、ウインドウェイ１５の長手方向の一区間を形成する部分）が柔軟性を有する素材によって構成されても良い。例えば、ウインドウェイ形成部１２における太さが細くなり始める部分から開口端１７までの区間を柔軟性を有する素材により構成し、当該太さが細くなり始める部分から開口端１６までの区間を容易に変形しない素材により構成する、という具合である。この場合、ウインドウェイ形成部１２における太さが細くなり始める部分から開口端１７までの区間のウインドウェイ１５を曲げることが可能であるため、第２実施形態と同様の効果が得られる。
【００４７】
（８）第２実施形態のエアリード楽器１Ｃの胴部１１は、従来のリコーダのその部分と同様に、容易に変形しない素材によって構成されていた。しかし、胴部１１もウインドウェイ形成部１２と同様に、柔軟性を有する素材によって構成されても良い。また、中部管や足部管もウインドウェイ形成部１２と同様に、柔軟性を有する素材によって構成されても良い。ただし、中部管や足部管にはピッチを指定するための操作孔があるため、中部管や足部管は、容易に変形しない素材によって構成される方が好ましい。
【００４８】
（９）第１実施形態のエアリード楽器１の連結部３９や第２実施形態のエアリード楽器１Ｃのウインドウェイ形成部１２は、弾性体により構成されていた。これに代えて、ウインドウェイ形成部（あるいはウインドウェイ形成部の一部）は、加熱すると柔軟になり、冷やすとその形状が維持され、再加熱すると元の形状に戻る形状記憶ポリマー（特公平０５−０４７３８６参照）のような素材により構成されても良い。
【００４９】
（１０）各実施形態の技術的特徴を組み合わせても良い。例えば、リッププレートにウインドウェイ形成部を設け、そのウインドウェイ形成部全体を弾性体により構成しても良い。この態様においても、ウインドウェイを曲げることができるため各実施形態と同様の効果が得られる。
【００５０】
（１１）第１〜第３実施形態のエアリード楽器１〜１Ｃは、フルートまたはリコーダを改良したものであった。しかし、フルートやリコーダに限らず、例えば尺八やオカリナなどその他のエアリード楽器に各実施形態の技術的特徴を付加しても良い。
【符号の説明】
【００５１】
１，１Ｃ…エアリード楽器、１０…頭部管、１１…胴部、１２，３０…ウインドウェイ形成部、１３…窓部、１４，２４…エッジ、１５，４０…ウインドウェイ、１６，１７，１９，３５，３６，３７，３８…開口端、２２…唄口、２６…リッププレート、３１…下流部、３２…上流部、３３，３４…貫通穴、３９…連結部。
【図１】
2017068109.tif 000003
【図２】
2017068109.tif 000004
【図３】
2017068109.tif 000005
【図４】
2017068109.tif 000006
【図５】
2017068109.tif 000007
【図６】
2017068109.tif 000008